(57)【要約】【課題】上側のランドリー機器から下側のランドリー機器への振動の伝達を抑制でき、使い勝手の向上を図ることができるランドリー機器用置台およびランドリーユニットを提供する。【解決手段】ランドリー機器用置台３は、第１ランドリー機器が載せられる上面部３Ａと、第１ランドリー機器１よりも下側Ｚ２に配置される第２ランドリー機器を収容する収容空間３Ｅを含む。上面部３Ａは、第１ランドリー機器が連結される連結部３Ｂを有する。収容空間３Ｅは、平面視で連結部３Ｂから外れた位置に設けられる。【選択図】図４
2019042039.tif 000002
【特許請求の範囲】
【請求項１】
第１ランドリー機器が連結される連結部を有し、前記第１ランドリー機器が載せられる上面部と、
前記第１ランドリー機器よりも下側に配置される第２ランドリー機器を収容する収容空間であって、平面視で前記連結部から外れた位置に設けられた収容空間とを含む、ランドリー機器用置台。
【請求項２】
平行に延びる一対の梁部を少なくとも有し、前記収容空間を囲んだフレームと、
前記一対の梁部の間に架設され、前記収容空間への収容時および収容後における前記第２ランドリー機器が載せられる載置部とをさらに含む、請求項１に記載のランドリー機器用置台。
【請求項３】
前記第１ランドリー機器の脚を前記連結部に対して位置決めした状態で前記上面部に取り付けられる取付部材をさらに含む、請求項１または２に記載のランドリー機器用置台。
【請求項４】
前記第１ランドリー機器から取り外された脚が連結される下面部と、
前記脚が取り外された前記第１ランドリー機器を前記連結部に固定する固定部材とをさらに含む、請求項１または２に記載のランドリー機器用置台。
【請求項５】
請求項１〜４のいずれか一項に記載のランドリー機器用置台と、前記第１ランドリー機器と、前記第２ランドリー機器とを含むランドリーユニットであって、
前記第１ランドリー機器は、洗濯物の第１出入口が形成された正面部と、前記正面部に設けられて前記第１出入口を開閉する第１扉とを含み、
前記第２ランドリー機器は、洗濯物を収容して前記収容空間から前記正面部側へ引き出し可能な引出部と、前記引出部に形成された洗濯物の第２出入口を開閉する第２扉とを含み、
前記第２扉は、前記引出部の引き出しに応じて前記収容空間内で移動して前記第２出入口を開放する、ランドリーユニット。
【発明の詳細な説明】
【技術分野】
【０００１】
この発明は、ランドリー機器用置台およびランドリーユニットに関する。
【背景技術】
【０００２】
下記特許文献１で開示された洗濯機は、靴洗浄ユニットを内蔵する。靴洗浄ユニットは、洗濯機の筐体の内部空間における下側スペースに配置され、洗濯機の筐体のフレームによって支持される。靴洗浄ユニットは、引出部を含む。引出部は、上面に出入口が形成された水槽と、出入口を開閉する蓋とを含む。使用者は、引出部を洗濯機の筐体から前側へ引き出して蓋を上側へ開き、靴を出入口から水槽に収容し、引出部を洗濯機の筐体内に押し込む。靴洗浄ユニットにおいて洗浄運転が開始されると、水槽への給水が開始され、蛇口からの水が、洗濯機の給水路と靴洗浄ユニットの給水路とを順に流れて水槽に注ぎ込まれる。水槽内の靴は、水槽内で回転するブラシや、水槽の内壁に設けられたブラシにブラッシングされることで洗浄される。洗浄時間が経過すると、水槽の排水が開始され、水槽内の水は、靴洗浄ユニットの排水路と洗濯機の排水路とを順に流れて機外に排出される。
【先行技術文献】
【特許文献】
【０００３】
【特許文献１】特開２０１５−１８１８７８号公報
【発明の概要】
【発明が解決しようとする課題】
【０００４】
特許文献１のように洗濯機と靴洗浄ユニットという２つのランドリー機器が上下に並んで一体化された構成では、洗濯機の運転により生じる振動が、洗濯機の筐体を介して下側の靴洗浄ユニットに伝わりやすい。洗濯機と靴洗浄ユニットとが同時に運転中である場合には、洗濯機の振動が靴洗浄ユニットに伝わることによって、靴洗浄ユニットの運転に影響が生じるおそれがある。また、特許文献１の構成では、２つのランドリー機器の一方が故障した場合には、当該一方だけでなく、他方も使用できなくなるおそれがある。これでは、使い勝手の向上を図ることが困難である。
【０００５】
この発明は、かかる背景のもとでなされたもので、上側のランドリー機器から下側のランドリー機器への振動の伝達を抑制でき、使い勝手の向上を図ることができるランドリー機器用置台およびランドリーユニットを提供することを目的とする。
【課題を解決するための手段】
【０００６】
本発明は、第１ランドリー機器が連結される連結部を有し、前記第１ランドリー機器が載せられる上面部と、前記第１ランドリー機器よりも下側に配置される第２ランドリー機器を収容する収容空間であって、平面視で前記連結部から外れた位置に設けられた収容空間とを含む、ランドリー機器用置台である。
【０００７】
また、本発明は、前記ランドリー機器用置台が、平行に延びる一対の梁部を少なくとも有し、前記収容空間を囲んだフレームと、前記一対の梁部の間に架設され、前記収容空間への収容時および収容後における前記第２ランドリー機器が載せられる載置部とをさらに含むことを特徴とする。
【０００８】
また、本発明は、前記ランドリー機器用置台が、前記第１ランドリー機器の脚を前記連結部に対して位置決めした状態で前記上面部に取り付けられる取付部材をさらに含むことを特徴とする。
【０００９】
また、本発明は、前記ランドリー機器用置台が、前記第１ランドリー機器から取り外された脚が連結される下面部と、前記脚が取り外された前記第１ランドリー機器を前記連結部に固定する固定部材とをさらに含むことを特徴とする。
【００１０】
また、本発明は、前記ランドリー機器用置台と、前記第１ランドリー機器と、前記第２ランドリー機器とを含むランドリーユニットであって、前記第１ランドリー機器は、洗濯物の第１出入口が形成された正面部と、前記正面部に設けられて前記第１出入口を開閉する第１扉とを含み、前記第２ランドリー機器は、洗濯物を収容して前記収容空間から前記正面部側へ引き出し可能な引出部と、前記引出部に形成された洗濯物の第２出入口を開閉する第２扉とを含み、前記第２扉は、前記引出部の引き出しに応じて前記収容空間内で移動して前記第２出入口を開放する、ランドリーユニットである。
【発明の効果】
【００１１】
本発明によれば、第１ランドリー機器は、ランドリー機器用置台の上面部に載せられて、当該上面部における連結部に連結される。第１ランドリー機器の振動は、連結部に伝達されて、連結部によって吸収される。第１ランドリー機器よりも下側に配置される第２ランドリー機器は、ランドリー機器用置台の収容空間に収容される。この収容空間は、平面視で連結部から外れた位置に設けられる。これより、第２ランドリー機器は、ランドリー機器用置台において第１ランドリー機器の振動が伝わる連結部に平面視で重ならないように、収容空間に収容される。そのため、上側の第１ランドリー機器から下側の第２ランドリー機器への振動の伝達を抑制できる。
また、ランドリー機器用置台が第１ランドリー機器と第２ランドリー機器との間に介在することにより、これらのランドリー機器は一体化された状態にない。これにより、第１ランドリー機器および第２ランドリー機器は、それぞれ単独で運転できる。そのため、第１ランドリー機器および第２ランドリー機器の一方が故障しても、他方は引き続き使用できるので、使い勝手の向上を図ることができる。
【００１２】
また、本発明によれば、ランドリー機器用置台において収容空間を囲んだフレームの一対の梁部の間に載置部が架設されることによって、フレームが補強される。これにより、ランドリー機器用置台の強度を向上することができる。載置部には、収容空間への収容時および収容後における第２ランドリー機器が載せられる。そのため、第２ランドリー機器を載置部上で滑らせることによって収容空間に容易に収容できるので、第２ランドリー機器の設置に係る使い勝手の向上を図ることができる。
【００１３】
また、本発明によれば、第１ランドリー機器の脚を、取付部材により、連結部から外れないようにランドリー機器用置台の上面部に固定することができる。
【００１４】
また、本発明によれば、第１ランドリー機器から取り外された脚を、ランドリー機器用置台の下面部に連結することによって、ランドリー機器用置台の脚として利用できる。脚が取り外された第１ランドリー機器を、固定部材により、連結部から外れないように固定することができる。
【００１５】
また、本発明によれば、第１ランドリー機器の正面部に形成された第１出入口が、第１扉によって開閉される。第２ランドリー機器の引出部が、ランドリー機器用置台の収容空間から正面部側へ引き出し可能である。このような構成において、引出部の第２出入口を開閉する第２扉は、引出部の引き出しに応じて収容空間内で移動して第２出入口を開放する。つまり、引出部を引き出しても、第２出入口を開放した第２扉は、収容空間内に残ったままである。そのため、第２出入口を開放した第２扉によって、第１扉の開閉や第１出入口での洗濯物の出し入れが邪魔されないので、使い勝手の向上を図ることができる。
【図面の簡単な説明】
【００１６】
【図１】図１は、この発明の一実施形態に係るランドリーユニットの斜視図である。
【図２】図２は、ランドリーユニットに含まれる第２ランドリー機器の平面図である。
【図３】図３は、図２のＡ−Ａ矢視断面図である。
【図４】図４は、ランドリーユニットに含まれるランドリー機器用置台の斜視図である。
【図５】図５は、第２ランドリー機器を収容したランドリー機器用置台の平面図である。
【図６Ａ】図６Ａは、図５のＢ−Ｂ矢視断面図である。
【図６Ｂ】図６Ｂは、図６Ａの要部拡大図である。
【図７Ａ】図７Ａは、図５のＣ−Ｃ矢視断面図である。
【図７Ｂ】図７Ｂは、図７Ａの要部拡大図である。
【図８】図８は、ランドリーユニットの正面図である。
【図９】図９は、ランドリー機器用置台に含まれる取付部材の斜視図である。
【図１０】図１０は、第１ランドリー機器が載せられて第２ランドリー機器を収容したランドリー機器用置台の斜視図である。
【図１１】図１１は、ランドリーユニットの斜視図である。
【図１２】図１２は、第１ランドリー機器が載せられて第２ランドリー機器を収容したランドリー機器用置台の背面図である。
【図１３】図１３は、第１変形例に係るランドリーユニットの斜視図である。
【図１４】図１４は、第２変形例に係るランドリーユニットの要部断面図である。
【発明を実施するための形態】
【００１７】
以下には、図面を参照して、この発明の実施形態について具体的に説明する。図１は、この発明の一実施形態に係るランドリーユニット１００の斜視図である。以下では、図１のランドリーユニット１００を正面から見たときを基準として、ランドリーユニット１００の左右方向Ｘ、前後方向Ｙおよび上下方向Ｚを定義する。左右方向Ｘは、図１の左上側に相当する左側Ｘ１と、図１の右下側に相当する右側Ｘ２とを含む。前後方向Ｙは、図１の左下側に相当する前側Ｙ１と、図１の右上側に相当する後側Ｙ２とを含む。上下方向Ｚは、図１の上側に相当する上側Ｚ１と、図１の下側に相当する下側Ｚ２とを含む。左右方向Ｘおよび前後方向Ｙは、横方向、詳しくは水平方向に含まれる。上下方向Ｚは、垂直方向、換言すればランドリーユニット１００の高さ方向と同じである。
【００１８】
ランドリーユニット１００は、第１ランドリー機器１と、第２ランドリー機器２と、ランドリー機器用置台３とを含む。この実施形態では、第１ランドリー機器１が洗濯機であり、第２ランドリー機器２が靴洗浄装置である。もちろん、第１ランドリー機器１が洗濯乾燥機や乾燥機であってもよく、第２ランドリー機器２が靴洗浄装置以外の小型の洗濯機や乾燥機であってもよい。ランドリー機器用置台３は、第１ランドリー機器１を載せて第２ランドリー機器２を収容できる置台である。以下では、ランドリー機器用置台３を「置台３」と略称する。
【００１９】
この実施形態における第１ランドリー機器１は、水平または略水平に沿って前後に延びる回転軸線を有する回転ドラム（図示せず）を内蔵したドラム式洗濯機である。第１ランドリー機器１は、ボックス状の外観を有する。第１ランドリー機器１の正面部１Ａには、回転ドラムに洗濯物を出し入れするための第１出入口４が形成される。正面部１Ａには、第１出入口４を開閉する第１扉５が設けられる。第１扉５の左端部または右端部は、上下方向Ｚに延びる回転軸線を有するヒンジ（図示せず）を介して正面部１Ａに連結され、第１扉５は、ヒンジの回転軸まわりに回動可能である。使用者が第１扉５を前側Ｙ１へ回動させると、第１扉５は、開位置に配置されて、第１出入口４を前側Ｙ１へ開放する。使用者が開位置の第１扉５を後側Ｙ２へ回動させると、第１扉５は、図１に示す閉位置に配置されて、第１出入口４を閉鎖する。正面部１Ａにおいて第１出入口４よりも上側Ｚ１の領域には、例えば液晶の表示部６と、ダイヤルなどによって構成された操作部７とが設けられる。表示部６には、使用者向けの情報が表示される。操作部７は、第１ランドリー機器１の運転のために使用者によって操作される。ドラム式洗濯機である場合の第１ランドリー機器１が置台３によって嵩上げして配置されると、使用者は、楽な姿勢で、第１扉５を開閉して第１出入口４から第１ランドリー機器１に洗濯物を出し入れすることができる。
【００２０】
図２は、第２ランドリー機器２の平面図である。第２ランドリー機器２は、その外殻をなすボックス状のキャビネット１１と、引出部１２とを含む。キャビネット１１は、例えば金属製であり、天板１１Ａと、左側板１１Ｂと、右側板１１Ｃと、底板１１Ｄ（後述する図３参照）とを含む。天板１１Ａは、矩形状であり、左側板１１Ｂおよび右側板１１Ｃの上端縁間に架設される。天板１１Ａの左端縁と右端縁との間隔が、キャビネット１１の幅Ｗ１である。この実施形態における幅Ｗ１は、例えば４５０ｍｍである。底板１１Ｄは、矩形状であり、左側板１１Ｂおよび右側板１１Ｃの下端縁間に架設される。底板１１Ｄの四隅には、下側Ｚ２へ半球状に膨出した脚１１Ｅが１つずつ設けられる（図３参照）。キャビネット１１は、天板１１Ａおよび底板１１Ｄによって上下方向Ｚの両側から塞がれて左側板１１Ｂおよび右側板１１Ｃによって左右方向Ｘの両側から塞がれた内部空間１１Ｆを有する。内部空間１１Ｆは、少なくとも前側Ｙ１へ開放される。
【００２１】
引出部１２は、正面扉１３と洗浄槽１４とを含み、キャビネット１１によって前後方向Ｙへスライド可能に支持される。図２における引出部１２は、収容位置にある。収容位置の引出部１２では、洗浄槽１４が、キャビネット１１の内部空間１１Ｆに収容された状態にある。正面扉１３は、前後方向Ｙに一致した板厚方向を有する板状に形成され、キャビネット１１よりも前側Ｙ１に配置される。左右方向Ｘにおける正面扉１３の両端部は、キャビネット１１よりも外側へ突出して配置される。正面扉１３の上端面には、排気口１３Ａと、凹部１３Ｂと、操作部１３Ｃとが、例えば左側Ｘ１からこの順番で設けられる。排気口１３Ａは、正面扉１３内に形成された排気ダクト（図示せず）を介して洗浄槽１４内に連通した状態にある。使用者は、凹部１３Ｂに指を掛けることによって正面扉１３を掴み、引出部１２を前後方向Ｙにスライドさせることができる。操作部１３Ｃは、例えば複数のボタンによって構成され、第２ランドリー機器２の運転のために使用者によって操作される。
【００２２】
図３は、図２のＡ−Ａ矢視断面図である。洗浄槽１４は、キャビネット１１よりも一回り小さい樹脂製または金属製の容器であって、正面扉１３の後側Ｙ２に配置されて、正面扉１３に固定される。洗浄槽１４の内部空間は、洗濯物の一例である一足の靴Ｓを収容できる大きさを有する。洗浄槽１４の上端には、洗浄槽１４の内部空間を上側Ｚ１へ開放した第２出入口１５が形成される。
【００２３】
第２出入口１５に関連して、キャビネット１１には、第２出入口１５を開閉する第２扉１６が設けられる。第２扉１６は、第２出入口１５を塞ぎ得る大きさを有する板状に形成され、キャビネット１１の天板１１Ａの真下に配置される。第２扉１６は、カムなどを用いた公知の昇降機構（図示せず）を介してキャビネット１１によって昇降可能に支持される。図３に示すように引出部１２が収容位置にある状態では、第２扉１６は、下降して第２出入口１５を密閉した状態にある。使用者が正面扉１３を掴んで前側Ｙ１へ引くと、引出部１２は、洗浄槽１４がキャビネット１１よりも前側Ｙ１に位置する引出位置（後述する図１１参照）まで引き出される。引出部１２が収容位置から引出位置に引き出されるのに連動して昇降機構が作動することにより、第２扉１６が上昇して第２出入口１５から離れる。これにより、引出位置にある引出部１２の洗浄槽１４では、第２出入口１５が開放されて上側Ｚ１へ露出される。引出部１２が引出位置から収容位置に戻るのに連動して昇降機構が作動することにより、第２扉１６が下降する。これにより、引出部１２が収容位置に戻ると、第２出入口１５が第２扉１６によって密閉される。
【００２４】
引出部１２は、保持部１７と、ダクト１８と、送風部１９と、ヒータ２０と、回転ノズル２１と、サイドノズル２２と、かかとノズル２３と、ポンプ２４とを含む。保持部１７は、一足の靴Ｓに応じて一対設けられ、洗浄槽１４内において左右に並んで配置される。各保持部１７は、洗浄槽１４の後壁１４Ａから前側Ｙ１および上側Ｚ１へ延びる。ダクト１８は、上下方向Ｚに延びる管状に形成され、後壁１４Ａに後側Ｙ２から固定される。ダクト１８の下端部には、洗浄槽１４内に連通した流入口１８Ａが形成される。ダクト１８には、蛇口などの水栓（図示せず）から延びる給水路（図示せず）が接続される。給水路の途中には、給水弁（図示せず）が設けられる。送風部１９は、いわゆるファンであって、洗浄槽１４の外に配置され、ダクト１８の上端部に固定される。ヒータ２０は、洗浄槽１４内において、洗浄槽１４の底壁１４Ｂの後部に配置される。底壁１４Ｂの前部には、流出口１４Ｃが形成される。
【００２５】
回転ノズル２１は、タワーノズル２５と水平ノズル２６とを有し、洗浄槽１４内に配置される。タワーノズル２５は、上端が塞がれた管状の中空体であって、洗浄槽１４の底壁１４Ｂから一対の保持部１７の間を通って第２出入口１５の手前まで上側Ｚ１へ延びる。タワーノズル２５の下端部が底壁１４Ｂによって支持されることにより、回転ノズル２１の全体は、タワーノズル２５の中心を通る仮想の縦軸Ｊまわりに回転可能である。以下では、縦軸Ｊまわりの周方向を周方向Ｔといい、縦軸Ｊを中心とする径方向を径方向Ｒという。水平ノズル２６は、タワーノズル２５の下部から径方向Ｒの外側へ張り出した上下方向Ｚに扁平な中空体である。水平ノズル２６は、複数存在し、縦軸Ｊまわりに回転対称となるように配置される。
【００２６】
サイドノズル２２は、洗浄槽１４における左右の側壁１４Ｄに１つずつ固定される。つまり、サイドノズル２２は、一対存在し、左右方向Ｘからタワーノズル２５および一対の保持部１７を挟むように洗浄槽１４内に配置される。各サイドノズル２２は、左右方向Ｘに扁平で前後方向Ｙに長手の中空体である。かかとノズル２３は、一対存在し、左右に並んだ状態で、洗浄槽１４の後壁１４Ａの前面に設けられる。一対のかかとノズル２３は、一対の保持部１７と左右方向Ｘにおいて１つずつ同じ位置にある。各かかとノズル２３は、左右方向Ｘに延びる中空体である。左右方向Ｘにおいて同じ側にあるサイドノズル２２およびかかとノズル２３では、互いの内部空間が連通した状態にある。
【００２７】
単数または複数の噴射口２７が、タワーノズル２５の上端部、各水平ノズル２６の上面部、左のサイドノズル２２の右面部、右のサイドノズル２２の左面部、および、各かかとノズル２３の前面部にそれぞれ設けられる。
【００２８】
ポンプ２４は、洗浄槽１４の底壁１４Ｂの後端部に固定される。ポンプ２４と底壁１４Ｂの流出口１４Ｃとは、第１流路２８によってつながった状態にある。ポンプ２４とタワーノズル２５の下端部とは、第１流路２８とは別の第２流路（図示せず）によってつながった状態にある。ポンプ２４と左右のサイドノズル２２とは、第１流路２８および第２流路とは別の第３流路（図示せず）によってつながった状態にある。左右のサイドノズル２２は、個別にポンプ２４につながってもよいし、一方のサイドノズル２２が第３流路によってポンプ２４につながって、他方のサイドノズル２２が別の第４流路（図示せず）によって当該一方のサイドノズル２２につながってもよい。ポンプ２４には、排水路（図示せず）の一端が接続される。排水路の他端は、建物の排水管（図示せず）などの機外の排水設備につながる。ポンプ２４は、第１流路２８に存在する水を吸い込んで、第２流路および第３流路だけに吐き出したり、排水路だけに吐き出したりすることができる。なお、この排水路と、前述した給水路（図示せず）とは、引出部１２がスライド可能であることを踏まえて、ある程度長めに設定される。
【００２９】
引出部１２には、マイクロコンピュータなどで構成された制御部（図示せず）が設けられる。制御部は、配線（図示せず）によって、操作部１３Ｃ、ヒータ２０、送風部１９、ポンプ２４および給水弁（図示せず）のそれぞれに対して電気的に接続される。制御部は、使用者による操作部１３Ｃの操作を受け付けると、ヒータ２０、送風部１９およびポンプ２４の動作や給水弁の開閉を制御することによって洗浄槽１４内の靴Ｓの洗浄運転を実行する。洗浄運転は、洗浄液によって靴Ｓを洗う洗い工程と、洗い工程後に洗浄液によって靴Ｓをすすぐすすぎ工程と、すすぎ工程の後に靴Ｓから水分を取り除く脱液工程とを含む。なお、洗い工程における洗浄液は、洗剤が溶けた水道水であり、すすぎ工程における洗浄液は、洗剤成分を含まない水道水である。
【００３０】
洗浄運転の開始に先立って、使用者は、第２ランドリー機器２の引出部１２を引出位置（図１１参照）まで引き出して洗浄槽１４の第２出入口１５を開放し、一足の靴Ｓを第２出入口１５から洗浄槽１４内に収納する。その際、使用者は、それぞれの保持部１７の先端部１７Ａを、靴Ｓの履き口ＳＨに下側Ｚ２から挿通した後に、つま先ＳＴ側を向くように靴Ｓの内部空間ＳＮに挿入する。これにより、洗浄槽１４内では、一足の靴Ｓが左右方向Ｘに並び、それぞれの靴Ｓが、前後方向Ｙに略水平になった反転姿勢で保持部１７によって保持される。反転姿勢の靴Ｓでは、つま先ＳＴが前側Ｙ１を向き、靴底ＳＺが上側Ｚ１を向き、足の甲を覆うアッパ部ＳＵと履き口ＳＨとが下側Ｚ２を向いた状態にある。反転姿勢の靴Ｓは、上下に嵩張らないので、反転姿勢の靴Ｓを収容する第２ランドリー機器２の高さ寸法を小さく抑えることができる。また、使用者は、靴Ｓを洗浄槽１４内に収納する際に、洗剤を洗浄槽１４内に投入する。その後、使用者は、引出部１２を、収容位置まで戻す。これにより、洗浄運転の準備が完了する。
【００３１】
洗浄運転の準備が完了した第２ランドリー機器２では、洗浄槽１４内において、回転ノズル２１のタワーノズル２５が、反転姿勢で保持された一対の靴Ｓの間に配置される。タワーノズル２５の上端部は、これらの靴Ｓの靴底ＳＺよりも上側Ｚ１に突出して配置される。これにより、タワーノズル２５の上端部における噴射口２７が、靴底ＳＺよりも高い位置に配置される。回転ノズル２１の各水平ノズル２６は、これらの靴Ｓよりも低い位置に配置され、各水平ノズル２６における噴射口２７は、これらの靴Ｓのアッパ部ＳＵおよび履き口ＳＨに下側Ｚ２から臨む。一対のサイドノズル２２は、洗浄槽１４内における一対の靴Ｓの両側方、つまり、左右方向Ｘにおける両外側に配置される。左のサイドノズル２２における噴射口２７は、左の靴Ｓにおける左サイド部に左側Ｘ１から臨む。右のサイドノズル２２における噴射口２７は、右の靴Ｓにおける右サイド部に右側Ｘ２から臨む。一対のかかとノズル２３は、一対の靴Ｓの後側Ｙ２に配置される。左のかかとノズル２３の噴射口２７は、左の靴Ｓのかかと部ＳＫに後側Ｙ２から臨み、右のかかとノズル２３の噴射口２７は、右の靴Ｓのかかと部ＳＫに後側Ｙ２から臨む。
【００３２】
洗浄運転の準備が完了した後に、使用者が操作部１３Ｃ（図２参照）を操作することによって、第２ランドリー機器２の制御部（図示せず）に対して洗浄運転の開始を指示する。すると、洗い工程が開始され、まず、前述した給水弁（図示せず）が開いて洗浄槽１４内への給水が行われる。これにより、水栓（図示せず）からの水が、その水圧によって給水路（図示せず）を通ってダクト１８内に流入し、流入口１８Ａから洗浄槽１４内に溜まる。
【００３３】
洗浄槽１４内における水面が水平ノズル２６よりも低い所定水位まで上昇すると、給水弁が閉じて給水が停止される。前述したように洗剤が洗浄槽１４内に事前に投入されるので、洗浄槽１４内には、洗剤が水に溶けることで生成された洗浄液が溜まる。洗浄槽１４内の洗浄液の一部は、第１流路２８にも行き渡る。洗浄槽１４内の洗浄液が第１流路２８から吸い込まれて前述した第２流路や第３流路に吐き出されるように、ポンプ２４が駆動される。
【００３４】
すると、洗浄液は、ポンプ２４の駆動に伴って回転ノズル２１のタワーノズル２５内に流入してタワーノズル２５内を上昇するとともに、各水平ノズル２６内にも行き渡る。各水平ノズル２６における複数の噴射口２７のうち、少なくとも一つの噴射口２７は、周方向Ｔにおける一方側へ向けて開口するように構成され、水平ノズル２６内の洗浄液を当該一方側へ向けて噴射する。これにより、各水平ノズル２６が、周方向Ｔの推力を受けるので、回転ノズル２１の全体が縦軸Ｊまわりに回転する。回転中の回転ノズル２１の各水平ノズル２６では、洗浄液を当該一方側へ向けて噴射する噴射口２７以外の噴射口２７から、洗浄液が、太い実線の矢印Ａ１で示すように、洗浄槽１４内の各靴Ｓのアッパ部ＳＵや履き口ＳＨに向けて下側Ｚ２から噴射される。また、回転中の回転ノズル２１のタワーノズル２５内を上昇した洗浄液は、太い実線の矢印Ａ２で示すように、タワーノズル２５の上端部における各噴射口２７から各靴Ｓの靴底ＳＺやサイド部に向けて上側Ｚ１から噴射される。
【００３５】
また、洗浄液は、ポンプ２４の駆動に伴って左右のサイドノズル２２内および左右のかかとノズル２３内に行き渡る。すると、左のサイドノズル２２では、噴射口２７から、洗浄液が、左の靴Ｓにおける左サイド部に噴射される。左のかかとノズル２３では、噴射口２７から、洗浄液が、太い実線の矢印Ａ３で示すように、左の靴Ｓのかかと部ＳＫに噴射される。右のサイドノズル２２では、噴射口２７から、洗浄液が、右の靴Ｓにおける右サイド部に噴射される。右のかかとノズル２３では、噴射口２７から、洗浄液が、右の靴Ｓのかかと部ＳＫに噴射される。
【００３６】
以上のように洗浄液が噴射された靴Ｓは、洗浄液の勢いによって泥や砂利などの汚れが除去されたり、洗浄液によって汚れが化学的に分解されたりすることによって洗浄される。そのため、靴Ｓをブラシなどで擦らなくても、靴Ｓに噴射された高圧の洗浄液によって、靴Ｓをブラシなどで擦り洗いする場合と同等の洗浄力を維持しつつ、傷みが生じないように靴Ｓの内外の全体を満遍なく洗浄できる。また、洗い工程において、ヒータ２０がＯＮにされて洗浄槽１４内の洗浄液を加熱してもよい。この場合には、靴Ｓに浴びせられた温かい洗浄液によって洗浄力を高めることができる。
【００３７】
洗い工程では、洗浄槽１４内の靴Ｓに噴射された後に靴Ｓからこぼれた洗浄液や、各噴射口２７から洗浄槽１４内に噴射されたものの靴Ｓにかからなかった洗浄液が、落下して洗浄槽１４内に溜まる。洗い工程では、ポンプ２４が引き続き駆動される。そのため、洗浄槽１４内に溜まった洗浄液は、洗浄槽１４の底壁１４Ｂの流出口１４Ｃから第１流路２８に流入し、第２流路および第３流路（図示せず）を流れて回転ノズル２１、サイドノズル２２およびかかとノズル２３の各噴射口２７から洗浄槽１４内へ再び噴射される。これにより、洗い工程中の洗浄液は、洗浄槽１４とポンプ２４との間で循環する。
【００３８】
洗浄液の循環が所定時間継続した後に、第１流路２８の洗浄液が排水路（図示せず）に流れるようにポンプ２４の動作が切り換えられる。これにより、洗浄槽１４内の洗浄液が、第１流路２８および排水路を通って機外へ強制的に排出される。このような排水の後、ポンプ２４が停止され、洗い工程が終了する。
【００３９】
洗い工程後に、すすぎ工程が開始されて、水道水が、洗浄槽１４内において水平ノズル２６よりも低い所定水位まで溜められる。その後、ポンプ２４が駆動されることによって、水道水が、すすぎ水として循環する。これにより、回転ノズル２１、サイドノズル２２およびかかとノズル２３の各噴射口２７からのすすぎ水が、洗浄槽１４内の靴Ｓに高圧で噴射されるので、靴Ｓがすすぎ水によってすすがれる。この際、ヒータ２０がＯＮになってすすぎ水を加熱してもよい。この場合には、各噴射口２７から温かいすすぎ水を靴Ｓに浴びせることによって、靴Ｓを効果的にすすぐことができる。すすぎ水の循環が所定時間継続した後に、第１流路２８の水が排水路（図示せず）に流れるようにポンプ２４の動作が切り換えられる。これにより、洗浄槽１４内のすすぎ水が第１流路２８および排水路（図示せず）を通って機外へ排出される。その後、ポンプ２４が停止され、すすぎ工程、つまり洗浄工程の全体が終了する。
【００４０】
洗浄工程の後、送風部１９が駆動されることによって、脱液工程が開始される。これにより、機外の空気が、送風部１９によってダクト１８内に取り込まれる。ダクト１８内に取り込まれた空気は、流入口１８Ａから洗浄槽１４内に送り込まれる。洗浄槽１４内に送り込まれた空気は、送風部１９によって加圧された高圧の状態で、洗浄槽１４内の各靴Ｓの外面部に浴びせられたり、履き口ＳＨから靴Ｓの内部空間ＳＮに流入したりすることによって、靴Ｓから洗浄液などの水分を染み出させる。染み出た水分は、靴Ｓからこぼれ落ちる。そのため、ダクト１８からの空気を各靴Ｓに浴びせることによって、洗浄後の靴Ｓを効果的に脱液できる。洗浄槽１４内に送り込まれた空気は、最終的に、引出部１２の正面扉１３の排気口１３Ａ（図２参照）から機外へ排出される。なお、脱液工程において、ヒータ２０がＯＮにされて洗浄槽１４内に熱風を発生させもよい。この場合、熱風によって靴Ｓを一層効果的に脱液できる。
【００４１】
送風部１９の駆動が開始されてから所定時間が経過すると、送風部１９が停止されて、脱液工程が終了する。これにより、洗浄運転が終了する。なお、脱液工程の最後にポンプ２４が駆動されて、脱液工程の際に靴Ｓからこぼれ落ちた水分が機外に排出されてもよい。洗浄運転の終了後には、使用者は、引出部１２を引出位置まで引き出して洗浄槽１４の第２出入口１５を開放し、洗浄槽１４内の靴Ｓを第２出入口１５から取り出す。
【００４２】
次に、置台３について説明する。図４は、置台３の斜視図である。置台３は、ボックス状に形成される。置台３は、直方体状に形成された金属製のフレーム３１を含む。フレーム３１は、上下方向Ｚに延びる縦支柱３２と、縦支柱３２の上端に連結された上額縁部３３と、縦支柱３２と上額縁部３３とをつなぐ補強部３４と、縦支柱３２の下端に連結された下額縁部３５と、下額縁部３５に連結された載置部３６とを有する。
【００４３】
縦支柱３２は、４つ存在し、平行な状態で配置される。４つの縦支柱３２は、左右一対の前縦支柱３２Ａと、これらの前縦支柱３２Ａよりも後側Ｙ２に配置された左右一対の後縦支柱３２Ｂとを含む。左の前縦支柱３２Ａと左の後縦支柱３２Ｂとは、左右方向Ｘにおいて同じ位置にある。右の前縦支柱３２Ａと右の後縦支柱３２Ｂとは、左右方向Ｘにおいて同じ位置にある。各前縦支柱３２Ａは、図４に示すように相手の前縦支柱３２Ａへ向いたＵ字状の平断面を有してもよいし、管状に形成されてもよい。各後縦支柱３２Ｂは、図４に示すように相手の後縦支柱３２Ｂへ向いたＵ字状の平断面を有してもよいし、管状に形成されてもよい。
【００４４】
上額縁部３３は、平面視において略矩形の額縁状に形成される。上額縁部３３は、前後一対の第１上横支柱３７と、左右一対の第２上横支柱３８とを含む。一対の第１上横支柱３７は、互いに平行に配置されて左右方向Ｘに延びる。一対の第２上横支柱３８は、互いに平行に配置されて前後方向Ｙに延びる。左の第２上横支柱３８の左端縁と右の第２上横支柱３８の右端縁との間隔が、フレーム３１の外幅Ｗ２、つまり、置台３の最大幅である。この実施形態における外幅Ｗ２は、例えば６００ｍｍである。左の第２上横支柱３８の右端縁と右の第２上横支柱３８の左端縁との間隔が、フレーム３１の内幅Ｗ３である。各第１上横支柱３７および各第２上横支柱３８は、図４に示すように下側Ｚ２へ向いたＵ字状の断面を有してもよいし、管状に形成されてもよい。左の第２上横支柱３８は、一対の第１上横支柱３７の左端間に架設され、右の第２上横支柱３８は、一対の第１上横支柱３７の右端間に架設される。一対の第１上横支柱３７の上面部と、一対の第２上横支柱３８の上面部とは、面一または略面一に連続した状態にあり、置台３の上面部３Ａを構成する。上面部３Ａは、平面視において上額縁部３３に一致した略矩形の額縁状に形成され、水平または略水平に延びる。上面部３Ａの幅（前述した外幅Ｗ２）および前後の奥行は、第１ランドリー機器１の幅および奥行とそれぞれほぼ同じである。
【００４５】
上面部３Ａの四隅のそれぞれを、連結部３Ｂという。連結部３Ｂは、全部で４つ存在する。左前の連結部３Ｂは、前の第１上横支柱３７の上面部の左端部、および、左の第２上横支柱３８の上面部の前端部の少なくともいずれかによって構成される。右前の連結部３Ｂは、前の第１上横支柱３７の上面部の右端部、および、右の第２上横支柱３８の上面部の前端部の少なくともいずれかによって構成される。左後の連結部３Ｂは、後の第１上横支柱３７の上面部の左端部、および、左の第２上横支柱３８の上面部の後端部の少なくともいずれかによって構成される。右後の連結部３Ｂは、後の第１上横支柱３７の上面部の右端部、および、右の第２上横支柱３８の上面部の後端部の少なくともいずれかによって構成される。
【００４６】
上額縁部３３の四隅は、４つの縦支柱３２の上端にそれぞれ連結される。つまり、左の前縦支柱３２Ａの上端は、前の第１上横支柱３７の左端に連結され、右の前縦支柱３２Ａの上端は、前の第１上横支柱３７の右端に連結される。また、左の後縦支柱３２Ｂの上端は、後の第１上横支柱３７の左端に連結され、右の後縦支柱３２Ｂの上端は、後の第１上横支柱３７の右端に連結される。
【００４７】
補強部３４は、水平方向に対して傾斜して延びるアーム状に形成され、左右一対存在する。左の補強部３４は、左の後縦支柱３２Ｂの途中部と、後の第１上横支柱３７の途中部との間に架設され、後縦支柱３２Ｂから第１上横支柱３７へ向けて右上側へ延びる。右の補強部３４は、右の後縦支柱３２Ｂの途中部と、後の第１上横支柱３７の途中部との間に架設され、後縦支柱３２Ｂから第１上横支柱３７へ向けて左上側へ延びる。補強部３４によって、フレーム３１の後部が補強される。
【００４８】
下額縁部３５は、平面視において略矩形の額縁状に形成される。下額縁部３５は、一対の梁部の一例としての前後一対の第１下横支柱３９と、左右一対の第２下横支柱４０とを含む。一対の第１下横支柱３９は、互いに平行に配置されて左右方向Ｘに延びる。一対の第２下横支柱４０は、互いに平行に配置されて前後方向Ｙに延びる。各第１下横支柱３９および各第２下横支柱４０は、図４に示すように上側Ｚ１へ向いたＵ字状の断面を有してもよいし、管状に形成されてもよい。この実施形態における各第２下横支柱４０は、厳密には、上面の全域にわたる開口が形成された前後方向Ｙに長手のボックス状に形成される。後の第１下横支柱３９における左右方向Ｘの略中央部には、後係合部４１が設けられる。後係合部４１は、例えば第１下横支柱３９から上側Ｚ１へ切り起こすことによって第１下横支柱３９に一体形成される。後係合部４１における上側Ｚ１の先端部４１Ａは、折り曲げられて前側Ｙ１へ延び、左右方向Ｘに長手の爪状に形成される。
【００４９】
左の第２下横支柱４０は、一対の第１下横支柱３９の左端間に架設され、右の第２下横支柱４０は、一対の第１下横支柱３９の右端間に架設される。一対の第１下横支柱３９の下面部と、一対の第２下横支柱４０の下面部とは、置台３の下面部３Ｃを構成する。下面部３Ｃは、底面視において下額縁部３５に一致した略矩形の額縁状に形成され、水平または略水平に延びる。下面部３Ｃの四隅には、下面部３Ｃよりも下側Ｚ２に突出した軸部４２が１つずつ設けられる。各軸部４２の下端部には、例えば円盤状の脚４３が設けられる。脚４３が床面などの水平な載置面Ｍに接触することによって、置台３が載置面Ｍに設置される。各軸部４２の載置面Ｍへの突出量は、調整可能である。各軸部４２の当該突出量を調整することにより、置台３の上面部３Ａの水平度、つまりランドリーユニット１００全体の水平度を調整できる。
【００５０】
下額縁部３５の四隅は、４つの縦支柱３２の下端にそれぞれ連結される。つまり、左の前縦支柱３２Ａの下端は、前の第１下横支柱３９の左端に連結され、右の前縦支柱３２Ａの下端は、前の第１下横支柱３９の右端に連結される。また、左の後縦支柱３２Ｂの下端は、後の第１下横支柱３９の左端に連結され、右の後縦支柱３２Ｂの下端は、後の第１下横支柱３９の右端に連結される。前の第１下横支柱３９は、前の第１上横支柱３７の真下に配置され、後の第１下横支柱３９は、後の第１上横支柱３７の真下に配置され、左の第２下横支柱４０は、左の第２上横支柱３８の真下に配置され、右の第２下横支柱４０は、右の第２上横支柱３８の真下に配置される。そのため、下額縁部３５は、上額縁部３３の真下に配置され、平面視において上額縁部３３と重なって配置される。
【００５１】
載置部３６は、前後方向Ｙに長手の板状に形成され、左右一対存在する。各載置部３６の上面部３６Ａは、水平または略水平に沿って前後方向Ｙに延びる帯状に形成される。一対の載置部３６は、互いに平行に延び、一対の第２下横支柱４０の間において、一対の第１下横支柱３９の間に架設される。各載置部３６の前端部は、前の第１下横支柱３９上に配置され、各載置部３６の後端部は、後の第１下横支柱３９上に配置される。左の載置部３６は、左の第２下横支柱４０に隣接し、右の載置部３６は、右の第２下横支柱４０に隣接する。左の載置部３６の左端には、上側Ｚ１へ折り曲げられて上面部３６Ａに沿って延びるフランジ部３６Ｂが一体形成される。フランジ部３６Ｂは、右の載置部３６の右端にも形成される。左の載置部３６のフランジ部３６Ｂは、締結部材４４によって左の第２下横支柱４０に連結される。右の載置部３６のフランジ部３６Ｂは、別の締結部材４４によって右の第２下横支柱４０に連結される。
【００５２】
以上のような置台３は、フレーム３１によって囲まれた内部空間３Ｄを有する。内部空間３Ｄは、フレーム３１において上額縁部３３によって囲まれた上開口３１Ａから上側Ｚ１に露出される。内部空間３Ｄは、フレーム３１において一対の載置部３６と一対の第１下横支柱３９とによって囲まれた下開口３１Ｂから下側Ｚ２に露出される。内部空間３Ｄは、フレーム３１において一対の前縦支柱３２Ａと前の第１上横支柱３７と前の第１下横支柱３９とによって囲まれた前開口３１Ｃから前側Ｙ１に露出される。内部空間３Ｄは、フレーム３１において一対の後縦支柱３２Ｂと後の第１上横支柱３７と後の第１下横支柱３９とによって囲まれた後開口３１Ｄから後側Ｙ２に露出される。内部空間３Ｄは、フレーム３１において左の前縦支柱３２Ａ、後縦支柱３２Ｂ、第２上横支柱３８および第２下横支柱４０によって囲まれた左開口３１Ｅから左側Ｘ１に露出される。内部空間３Ｄは、フレーム３１において右の前縦支柱３２Ａ、後縦支柱３２Ｂ、第２上横支柱３８および第２下横支柱４０によって囲まれた右開口３１Ｆから右側Ｘ２に露出される。
【００５３】
内部空間３Ｄにおいて平面視で左の第２上横支柱３８および第２下横支柱４０よりも右側Ｘ２かつ右の第２上横支柱３８および第２下横支柱４０よりも左側Ｘ１に位置する領域を、収容空間３Ｅという。収容空間３Ｅは、第２ランドリー機器２のキャビネット１１とほぼ同じ大きさを有する略直方体状の空間である。収容空間３Ｅは、上開口３１Ａよりも下側Ｚ２かつ下開口３１Ｂよりも上側Ｚ１に配置される。収容空間３Ｅの前端部は、前開口３１Ｃである。収容空間３Ｅは、後開口３１Ｄよりも前側Ｙ１に配置される。収容空間３Ｅは、左開口３１Ｅよりも右側Ｘ２かつ右開口３１Ｆよりも左側Ｘ１に配置される。このような収容空間３Ｅは、置台３の上面部３Ａの四隅における連結部３Ｂから平面視で外れた位置に設けられる。収容空間３Ｅの左右の幅は、フレーム３１の内幅Ｗ３以下である。４つの連結部３Ｂは、平面視において、収容空間３Ｅの四隅の付近にそれぞれ位置するが、収容空間３Ｅの四隅よりも外に配置される。
【００５４】
置台３は、フレーム３１を外から覆うようにフレーム３１に固定される金属製または樹脂製の化粧カバー４５（図１参照）を含んでもよい。化粧カバー４５は、平面視で略矩形板状のトップカバー４５Ａと、側面視で略矩形板状の左右一対のサイドカバー４５Ｂと、背面視で略矩形板状のリアカバー４５Ｃとを含む（図１参照）。トップカバー４５Ａは、上開口３１Ａを塞ぎ、一対のサイドカバー４５Ｂは、左開口３１Ｅおよび右開口３１Ｆをそれぞれ塞ぎ、リアカバー４５Ｃは、後開口３１Ｄを塞ぐ。化粧カバー４５をフレーム３１の一部とみなしてもよい。トップカバー４５Ａの上面部を置台３の上面部３Ａとみなしてもよい。その場合には、トップカバー４５Ａの上面部の四隅を置台３の連結部３Ｂとみなしてもよい。
【００５５】
載置面Ｍに設置された置台３への第２ランドリー機器２の組み付けについて説明する。作業者は、第２ランドリー機器２を、置台３の前開口３１Ｃの前側Ｙ１に配置する。このとき、第２ランドリー機器２の引出部１２は、収容位置にある。そして、作業者は、第２ランドリー機器２のキャビネット１１における後側Ｙ２の左右の脚１１Ｅ（図３参照）を、左右の載置部３６の上面部３６Ａの前端部に１つずつ載せる。
【００５６】
次に、作業者は、第２ランドリー機器２を後側Ｙ２へ押し込む。これにより、第２ランドリー機器２は、前開口３１Ｃを通って置台３の収容空間３Ｅ内に収容されていく。その際、後側Ｙ２の左右の脚１１Ｅが、左右の載置部３６の上面部３６Ａ上を滑る。また、前側Ｙ１の左右の脚１１Ｅが、左右の載置部３６の上面部３６Ａの前端部に１つずつ載り、上面部３６Ａ上を滑る。引出部１２の正面扉１３が前開口３１Ｃをちょうど塞ぐ位置にくると、正面扉１３の外縁部がフレーム３１の前縦支柱３２Ａおよび前の第１上横支柱３７に前側Ｙ１から対向する。これにより、第２ランドリー機器２が後側Ｙ２へこれ以上進めないので、作業者は、第２ランドリー機器２の押し込みを止める。このときの状態は、図５に示され、第２ランドリー機器２では正面扉１３以外の全部が、収容空間３Ｅ内に収容される。収容後の第２ランドリー機器２における全ての脚１１Ｅは、載置部３６の上面部３６Ａに載った状態にある。つまり、載置部３６には、収容空間３Ｅへの収容時および収容後における第２ランドリー機器２が載せられる。なお、作業者は、逆に第２ランドリー機器２を前側Ｙ１へ引き出すことによって、第２ランドリー機器２を置台３から取り外すことができる。  
【００５７】
図６Ａは、図５のＢ−Ｂ矢視断面図である。図６Ｂは、図６Ａにおいて２点鎖線の円によって囲まれた要部の拡大図である。図６Ａおよび図６Ｂでは、第２ランドリー機器２の引出部１２において正面扉１３以外の構造の図示が省略される（後述する図７Ａおよび図７Ｂにおいても同様）。第２ランドリー機器２のキャビネット１１は、底板１１Ｄの後端から立ち上がった後縦壁１１Ｇを有する。後縦壁１１Ｇにおいて、置台３のフレーム３１における後係合部４１の先端部４１Ａと同じ高さにある部分には、左右に延びるスリット状の係合穴１１Ｈが形成される。第２ランドリー機器２が置台３の収容空間３Ｅ内に収容された状態では、後係合部４１の先端部４１Ａが係合穴１１Ｈに後側Ｙ２から嵌まり込んで後縦壁１１Ｇに係合するので、キャビネット１１が収容空間３Ｅ内において上下に位置決めされる。そのため、この状態で引出部１２をキャビネット１１の前側Ｙ１へ引き出しても、引出部１２の重さによってキャビネット１１が浮き上がることが防止される。後係合部４１において先端部４１Ａよりも下側Ｚ２の縦部分４１Ｂは、後縦壁１１Ｇに後側Ｙ２から接触する。これによって、収容空間３Ｅ内のキャビネット１１が後側Ｙ２へずれないように位置決めされる。なお、後係合部４１は、前述した第１下横支柱３９でなく、載置部３６の後端部に取り付けられてもよい。
【００５８】
図７Ａは、図５のＣ−Ｃ矢視断面図である。図７Ｂは、図７Ａにおいて２点鎖線の円によって囲まれた要部の拡大図である。第２ランドリー機器２を押し込んで置台３の収容空間３Ｅ内に収容した作業者は、置台３のフレーム３１における前の第１下横支柱３９の両端部に、前係合部４６を締結部材４７によって１つずつ取り付ける（図４も参照）。つまり、前係合部４６は、左右一対存在する。各前係合部４６は、例えば略Ｌ字状の縦断面を有し、その場合には、水平に沿った横部分４６Ａと、横部分４６Ａの前端から立ち上がった縦部分４６Ｂとを有する。各前係合部４６の縦部分４６Ｂは、第２ランドリー機器２のキャビネット１１の例えば底板１１Ｄに前側Ｙ１から接触する。これによって、収容空間３Ｅ内のキャビネット１１が前側Ｙ１へずれないように位置決めされる。なお、第２ランドリー機器２を置台３から取り外す場合には、前係合部４６は、キャビネット１１の移動の邪魔にならないように、予め取り外される。なお、前係合部４６は、第１下横支柱３９でなく、載置部３６の前端部に取り付けられてもよい。
【００５９】
図８は、ランドリーユニット１００の正面図である。図８では、第２ランドリー機器２の引出部１２の図示が省略される。置台３の上面部３Ａには、第１ランドリー機器１が載せられる。第１ランドリー機器１の下面部１Ｂは、例えば略矩形状に形成され、その四隅には、下面部１Ｂよりも下側Ｚ２に突出した軸部５１が１つずつ設けられる。各軸部５１の下端部には、例えば円盤状の脚５２が設けられる。脚５２は、上面部３Ａの四隅における連結部３Ｂに１つずつ接触することによって、連結部３Ｂに連結される。置台３の収容空間３Ｅに収容された第２ランドリー機器２は、第１ランドリー機器１よりも下側Ｚ２に配置される。
【００６０】
置台３は、取付部材５５をさらに含む。取付部材５５は、脚５２に対応して４つ存在する。図９は、取付部材５５の斜視図である。取付部材５５は、例えば金属板をプレス機などで折り曲げ加工することによって形成される。取付部材５５は、水平に延びるベース部５５Ａと、ベース部５５Ａから上側Ｚ１へ盛り上がった隆起部５５Ｂとを一体的に有する。ベース部５５Ａは、例えば平面視で略Ｌ字状に形成される。ベース部５５Ａには、単数または複数の貫通穴５５Ｃが形成される。隆起部５５Ｂは、平面視で取付部材５５に囲まれるように配置される。隆起部５５Ｂは、ベース部５５Ａよりも高い位置で水平に延びる天板部５５Ｄと、水平方向に対して傾斜してベース部５５Ａと天板部５５Ｄとをつないだ傾斜部５５Ｅとを有する。天板部５５Ｄには、天板部５５Ｄを上下方向Ｚに貫通した切欠き５５Ｆが形成される。切欠き５５Ｆは、天板部５５Ｄにおいて傾斜部５５Ｅに接続されない端縁から水平方向へ開放される。取付部材５５の外縁部において切欠き５５Ｆを避けた部分は、上側Ｚ１へ折り曲げられたフランジ部５５Ｇである。
【００６１】
図１０は、第１ランドリー機器１が載せられて第２ランドリー機器２を収容した置台３の斜視図である。図１０では、第１ランドリー機器１において下面部１Ｂおよび下面部１Ｂよりも上側Ｚ１の部分の図示が省略される（前述した図６Ａおよび図７Ａにおいても同様）。前述したように、第１ランドリー機器１の各脚５２は、置台３の上面部３Ａの各連結部３Ｂに１つずつ載せられる。この状態において、作業者は、取付部材５５を上面部３Ａの四隅に１つずつ取り付ける。具体的には、作業者は、第１ランドリー機器１において脚５２が取り付けられた軸部５１に、取付部材５５の天板部５５Ｄにおける切欠き５５Ｆを前後方向Ｙから嵌め込む。すると、天板部５５Ｄが、脚５２に上からかぶさる。作業者は、平面視で取付部材５５が置台３からはみ出さないように取付部材５５の位置を調整する。位置調整後の取付部材５５では、平面視において、ベース部５５Ａが、隆起部５５Ｂよりも第１ランドリー機器１の中央Ｃに近づくように配置される。
【００６２】
そして、作業者が、ボルトなどの締結部材５６をベース部５５Ａの貫通穴５５Ｃに挿通して置台３のフレーム３１などに組み付けると、取付部材５５は、置台３の上面部３Ａに外れ不能に取り付けられる。天板部５５Ｄが脚５２に上からかぶさることによって、取付部材５５は、脚５２を連結部３Ｂに対して上下方向Ｚに位置決めした状態にある。上面部３Ａに取り付けられた状態における取付部材５５の切欠き５５Ｆは、前後に延びるので、切欠き５５Ｆに嵌った軸部５１は、左右方向Ｘに移動できない。そのため、軸部５１に取り付けられた脚５２は、取付部材５５によって、連結部３Ｂに対して左右方向Ｘに位置決めされた状態にある。
【００６３】
前後に並ぶ２つの取付部材５５のうち、前の取付部材５５の切欠き５５Ｆは、前側Ｙ１へ開放され、後の取付部材５５の切欠き５５Ｆは、後側Ｙ２へ開放される。前の取付部材５５の切欠き５５Ｆに嵌った前の軸部５１が前側Ｙ１へ移動しようとしても、後の取付部材５５の切欠き５５Ｆに嵌った後の軸部５１が、後の取付部材５５における切欠き５５Ｆの周縁部にぶつかるので、前の軸部５１が前側Ｙ１へ移動できない。逆に、後の取付部材５５の切欠き５５Ｆに嵌った後の軸部５１が後側Ｙ２へ移動しようとしても、前の取付部材５５の切欠き５５Ｆに嵌った前の軸部５１が、前の取付部材５５における切欠き５５Ｆの周縁部にぶつかるので、後の軸部５１が後側Ｙ２へ移動できない。そのため、軸部５１に取り付けられた脚５２は、前後の取付部材５５によって、連結部３Ｂに対して前後方向Ｙに位置決めされた状態にある。
【００６４】
置台３に収容された第２ランドリー機器２において、引出部１２が収容位置にある場合には、引出部１２の正面扉１３の正面部１３Ｄは、第１ランドリー機器１の正面部１Ａと略面一の状態にある（図１参照）。図１１に示すように、使用者が引出部１２を収容位置から引出位置へ移動させると、引出部１２において正面扉１３よりも後側Ｙ２に位置する部分、特に洗浄槽１４は、置台３の収容空間３Ｅから正面部１Ａ側、つまり前側Ｙ１へ引き出される。第２ランドリー機器２において洗浄槽１４の第２出入口１５を開閉する第２扉１６は、キャビネット１１と共に、収容空間３Ｅ内に常に配置される。引出部１２の引き出しに応じて、第２扉１６は、収容空間３Ｅ内において前述したように上側Ｚ１へ移動して第２出入口１５を開放する。引出位置まで引き出された引出部１２では、第２出入口１５が、正面部１Ａよりも前側Ｙ１に配置されて、上側Ｚ１へ露出される。
【００６５】
置台３は、第２ランドリー機器２のキャビネット１１の周囲の隙間を前側Ｙ１から塞ぐ、例えば金属製の飾り板５８および５９を含む。飾り板５８および５９は、縦長の長方形状である。飾り板５８は、キャビネット１１の左側板１１Ｂと置台３の左の前縦支柱３２Ａとの間の隙間Ｑ１（図８参照）を前側Ｙ１から塞ぐ。飾り板５９は、キャビネット１１の右側板１１Ｃと置台３の右の前縦支柱３２Ａとの間の隙間Ｑ２（図８参照）を前側Ｙ１から塞ぐ。飾り板５８および５９は、収容位置にあるときの引出部１２の正面扉１３の左右の両端部に後側Ｙ２からそれぞれ対向する。置台３は、第１ランドリー機器１の下面部１Ｂと置台３の前の第１上横支柱３７との隙間Ｑ３（図８参照）を前側Ｙ１から塞ぐ、例えば金属製の飾り板６０を含む。飾り板６０は、横長の長方形状である。飾り板６０の端部６０Ａは、後側Ｙ２へ折り曲げられて、前側Ｙ１の脚５２（図１０参照）を側方から目隠ししてもよい。飾り板５８、５９および６０により、使用者が不用意に隙間Ｑ１〜Ｑ３に指を差し込むことを防止でき、正面視における第２ランドリー機器２の周辺のデザイン上の一体感を実現できる。
【００６６】
以上のように、第１ランドリー機器１は、置台３の上面部３Ａに載せられて、上面部３Ａにおける連結部３Ｂに連結される。第１ランドリー機器１の振動は、上面部３Ａのコーナー部である連結部３Ｂに伝達されて、連結部３Ｂによって吸収される。第１ランドリー機器１よりも下側Ｚ２に配置される第２ランドリー機器２は、第１ランドリー機器１に内蔵されて第１ランドリー機器１と一体化されるのではなく、置台３の収容空間３Ｅに収容される。この収容空間３Ｅは、第１ランドリー機器１の脚５２が載る連結部３Ｂから平面視で外れた位置に設けられる（図４参照）。これより、第２ランドリー機器２は、置台３において第１ランドリー機器１の振動が伝わる連結部３Ｂに平面視で重ならないように、収容空間３Ｅに収容される（図５参照）。そのために、第２ランドリー機器２のキャビネット１１の幅Ｗ１は、置台３のフレーム３１の外幅Ｗ２未満、かつ、フレーム３１の内幅Ｗ３以下に設定される（図８参照）。すると、収容空間３Ｅ内の第２ランドリー機器２は、連結部３Ｂから左右方向Ｘにずれた位置に配置される（図１２参照）。したがって、上側Ｚ１の第１ランドリー機器１から下側Ｚ２の第２ランドリー機器２への振動の伝達を抑制できる。また、この構成であれば、第１ランドリー機器１の重量が第２ランドリー機器２に伝わりにくい。
【００６７】
また、置台３が第１ランドリー機器１と第２ランドリー機器２との間に介在することにより、これらのランドリー機器１，２は一体化された状態にない。これにより、第１ランドリー機器１および第２ランドリー機器２は、それぞれ単独で運転できる。そのため、第１ランドリー機器１および第２ランドリー機器２の一方が故障しても、他方は引き続き使用できるので、使い勝手の向上を図ることができる。なお、故障したランドリー機器の取り外しや再設置が容易にできるように、第１ランドリー機器１の給排水構造と、第２ランドリー機器２の給排水構造とは、独立して設けられることが好ましい。つまり、第１ランドリー機器１の給水路（図示せず）と第２ランドリー機器２の給水路（図示せず）とは合流せず、第１ランドリー機器１の排水路（図示せず）と第２ランドリー機器２の排水路（図示せず）とは合流しないことが好ましい。電力についても、第１ランドリー機器１と第２ランドリー機器２とに別々に供給されるように、第１ランドリー機器１および第２ランドリー機器２のそれぞれの電源プラグ（図示）が別々のコンセントに接続されることが好ましい。
【００６８】
以上のように置台３を用いて第１ランドリー機器１および第２ランドリー機器２を上下に並んで設置することにより、下側Ｚ２の第２ランドリー機器２が上側Ｚ１の第１ランドリー機器１の影響を受けにくくすることができる。つまり、第１ランドリー機器１および第２ランドリー機器２は、それぞれ独立した状態で使用できる。そのため、第１ランドリー機器１および第２ランドリー機器２のそれぞれの単独運転や同時運転が可能になるので、ランドリーユニット１００では様々な洗濯が可能となる。また、第１ランドリー機器１および第２ランドリー機器２が上下に並んだ構成は、設置スペースをコンパクトにまとめることができる。
【００６９】
また、置台３において収容空間３Ｅを囲んだフレーム３１の一対の第１下横支柱３９の間に載置部３６が架設されることによって、フレーム３１が補強される。これにより、置台３の強度を向上することができる。載置部３６には、収容空間３Ｅへの収容時および収容後における第２ランドリー機器２が載せられる。そのため、第２ランドリー機器２を載置部３６上で滑らせることによって収容空間３Ｅに容易に収容できるので、第２ランドリー機器２の設置に係る使い勝手の向上を図ることができる。
【００７０】
また、第１ランドリー機器１の脚５２を、取付部材５５により、連結部３Ｂから外れないように置台３の上面部３Ａに固定することができる。
【００７１】
また、第２ランドリー機器２の引出部１２の第２出入口１５を開閉する第２扉１６は、引出部１２の引き出しに応じて収容空間３Ｅ内で移動して第２出入口１５を開放する。つまり、引出部１２を引き出しても、第２出入口１５を開放した第２扉１６は、収容空間３Ｅ内に残ったままである（図１１参照）。そのため、第２出入口１５を開放した第２扉１６によって、第１扉５の開閉や第１出入口４での洗濯物の出し入れが邪魔されないので、使い勝手の向上を図ることができる。
【００７２】
この発明は、以上に説明した実施形態に限定されるものではなく、請求項に記載の範囲内において種々の変更が可能である。
【００７３】
図１３に示す第１変形例のように、引出部１２とともに引き出される構成の第２扉１６を用いてもよい。この場合の第２扉１６は、その後端部を中心に水平に延びる軸線周りに回動可能であり、第２出入口１５を閉じた状態（実線の第２扉１６を参照）から上側Ｚ１へ回動することによって、２点鎖線で示すように第２出入口１５を開く。第２出入口１５を開いた状態の第２扉１６の一部は、第１扉５に前側Ｙ１から対向するので、第１扉５を開閉することができない。ただし、引出部１２を引き出した状態では第１扉５を開閉しないのであれば、問題はない。
【００７４】
例えば、前述した実施形態では、第１ランドリー機器１は、その脚５２が置台３の上面部３Ａに載せられて取付部材５５によって上面部３Ａに固定されることにより、置台３に固定される（図１０参照）。取付部材５５に代え、図１４に示す第２変形例のように、固定部材６１により、第１ランドリー機器１が置台３に連結されてもよい。固定部材６１は、置台３に含まれ、ボルト６２、振動吸収ゴム６３およびナット６４を含む。ボルト６２は、水平に沿った円板状のフランジ部６２Ａと、フランジ部６２Ａから上側Ｚ１に延びる上軸部６２Ｂと、フランジ部５１Ａから下側Ｚ２へ延びる下軸部６２Ｃとを一体的に含む。上軸部６２Ｂおよび下軸部６２Ｃのそれぞれの外周面には、ねじ部（図示せず）が形成される。振動吸収ゴム６３は、環状のゴムである。
【００７５】
第１ランドリー機器１は、前述した下面部１Ｂが形成された底壁１Ｃを含む。下面部１Ｂの四隅には、前述した軸部５１（図１０参照）が挿通される貫通穴１Ｄが形成される。貫通穴１Ｄを取り囲んだナット６５が溶接などによって底壁１Ｃの上面部に固定される。軸部５１の上端部は、ナット６５にねじ締結される。
【００７６】
固定部材６１を用いて第１ランドリー機器１を置台３に連結する場合、まず、作業者は、第１ランドリー機器１の各軸部５１を、その下端部に設けられた脚５２とともに取り外し、置台３の下面部３Ｃの四隅に連結する。これにより、軸部５１および脚５２は、置台３の軸部４２および脚４３（図４参照）として使用される。次に、作業者は、軸部５１と同数、つまり４つのボルト６２を準備し、ボルト６２の上軸部６２Ｂを第１ランドリー機器１の下面部１Ｂの四隅の貫通穴１Ｄに１つずつ挿通してナット６５にねじ締結する。図１４に示すねじ締結後の各ボルト６２では、フランジ部６２Ａが下面部１Ｂに下側Ｚ２から面接触した状態にある。
【００７７】
次に、作業者は、各ボルト６２の下軸部６２Ｃに振動吸収ゴム６３を嵌めてから、下軸部６２Ｃを、置台３の上面部３Ａにおける各連結部３Ｂに形成された貫通穴３Ｆに上から挿通する。各ボルト６２の下軸部６２Ｃは、上額縁部３３から下側Ｚ２に突出して、置台３の内部空間３Ｄに配置される。最後に、作業者が、内部空間３Ｄ内に手を差し込んで各ボルト６２の下軸部６２Ｃにナット６４をねじ締結すると、脚５２が取り外された第１ランドリー機器１が固定部材６１を介して置台３の各連結部３Ｂに固定される。振動吸収ゴム６３は、各ボルト６２のフランジ部６２Ａと上額縁部３３との間で圧縮された状態にある。振動吸収ゴム６３は、第１ランドリー機器１の振動を吸収して第２ランドリー機器２に伝わらないようにする。そして、前述したように作業者が第２ランドリー機器２を置台３の収容空間３Ｅに収容すると、ランドリーユニット１００が完成する。
【００７８】
第２変形例では、第１ランドリー機器１から取り外された脚５２を、置台３の下面部３Ｃに連結することによって、置台３の脚４３として利用できる。脚５２が取り外された第１ランドリー機器１を、固定部材６１により、連結部３Ｂから外れないように固定することができる。
【符号の説明】
【００７９】
１      第１ランドリー機器
１Ａ    正面部
２      第２ランドリー機器
３      ランドリー機器用置台
３Ａ    上面部
３Ｂ    連結部
３Ｃ    下面部
３Ｅ    収容空間
４      第１出入口
５      第１扉
１２    引出部
１５    第２出入口
１６    第２扉
３１    フレーム
３６    載置部
３９    第１下横支柱
５２    脚
５５    取付部材
６１    固定部材
１００  ランドリーユニット
Ｓ      靴
Ｙ１    前側
Ｚ２    下側
【図１】
2019042039.tif 000003
【図２】
2019042039.tif 000004
【図３】
2019042039.tif 000005
【図４】
2019042039.tif 000006
【図５】
2019042039.tif 000007
【図６Ａ】
2019042039.tif 000008
【図６Ｂ】
2019042039.tif 000009
【図７Ａ】
2019042039.tif 000010
【図７Ｂ】
2019042039.tif 000011
【図８】
2019042039.tif 000012
【図９】
2019042039.tif 000013
【図１０】
2019042039.tif 000014
【図１１】
2019042039.tif 000015
【図１２】
2019042039.tif 000016
【図１３】
2019042039.tif 000017
【図１４】
2019042039.tif 000018